(57)【要約】【課題】既存の玄関ドアを新たな玄関ドアにリフォームする際に、新たな下枠と玄関内床面との間の段差を可及的に小さくしてバリアフリーと水捌けを実現する。【解決手段】玄関ドアの下枠構造は、玄関内床面４ａと略等しい高さを持った上段１ａと玄関外床面４ｂと略等しい下段１ｂからなる段差部１ｃを持った既存下枠１を残置させ、段差部１ｃと略等しい縦板１０ａと該縦板の一方側の端部に形成され上段１ａに沿って配置される上板１０ｂと該縦板の他方側の端部に形成され玄関外床面４ｂに沿って配置される下板１０ｃとを有するＺ金物１０と、起立片１１ｂと取付片１１ａとからなる取付部材１１を用意し、下段１ｂに取付部材１１を固定し、且つＺ金物１０の縦板１０ａを起立片１１ｂに固定すると共に上板１０ｂを上段１ａに固定する。【選択図】              図１
2005009095.tif 000002
【特許請求の範囲】
【請求項１】
住宅の玄関に設けた既存の玄関ドアの枠の内周側に新設する玄関ドアの枠を配置してリフォームする際の下枠構造であって、玄関内床面と略等しい高さを持った上段と玄関外床面と略等しい下段からなる段差を持った既存の玄関ドアの既存下枠を残置させると共に、前記既存下枠の段差と略等しい縦板と該縦板の一方側の端部に形成され前記既存下枠の上段に沿って配置される上板と該縦板の他方側の端部に形成され玄関外床面に沿って配置される下板とを有するＺ金物と、起立片と取付片とからなるＬ型に形成された取付部材と、を用意し、既存下枠の下段に長手方向に沿って取付部材を配置すると共に取付片を固定し、且つＺ金物の縦板を取付部材の起立片に対向させると共に上板を既存下枠の上段に且つ下板を玄関外床面に対向させて、前記縦板を取付部材の起立片に固定すると共に上板を既存下枠の上段に固定したことを特徴とする玄関ドアの下枠構造。
【発明の詳細な説明】
【０００１】
【発明の属する技術分野】
本発明は、玄関ドアをリフォームする際に、既存の下枠を利用するにも関わらず、玄関内床面の高さと略同じ高さを保持し得る下枠構造に関するものである。
【０００２】
【従来の技術】
住宅の玄関に取り付けられている玄関ドアを交換するリフォームを行う場合、該玄関ドアと、この玄関ドアに付属する枠体を建物から取り外して新たな枠体を取り付けるのが望ましいが、枠体がコンクリートやモルタルに埋設されているような場合や、床や壁，天井を含む周囲の取り壊しをせずに既存の枠体に新設する枠体を被せて新たな玄関ドアを設置する構造が採用されるのが一般的である（例えば特許文献１参照）。
【０００３】
上記特許文献１の技術では、既存の下枠の上部にアルミニウムの押出成形品からなる新たな下枠とカバー材が取り付けられており、このカバー材の厚み分下枠の高さが高くなる。一般的なリフォームを対象とする玄関ドアの下枠では、玄関内床面からの高さは約３０ｍｍ程度になっている。
【０００４】
【特許文献１】
特開昭６３−２１０３８２号公報
【０００５】
【発明が解決しようとする課題】
上記特許文献１の技術や一般的なリフォーム用の玄関ドアでは、下枠にアルミニウムの押出成形品からなる新たな下枠とカバー材を沿わせることから、人が出入りするときに掛かる荷重をこれらの新たな下枠とカバー材とが夫々単独で支持しなければならない。このため、必要な強度を発揮させるための肉厚や、剛性を発揮させるための形状が必要となり、断面の寸法が大きくなって、どうしても玄関内床面からの段差が生じてしまうという問題が発生している。
【０００６】
上記問題を解決するために、段差の頂部と床面との間を斜面となるように施工しているが、この作業が煩雑であり、且つ玄関内床面を掃除したときに玄関内の水が捌けなくなるというような問題も生じている。
【０００７】
本発明の目的は、新たな下枠と玄関内床面との間の段差を可及的に小さくすることで、バリアフリーを実現すると共に水捌けを実現した玄関ドアの下枠構造を提供することにある。
【０００８】
【課題を解決するための手段】
上記課題を解決するために本発明に係る玄関ドアの下枠構造は、住宅の玄関に設けた既存の玄関ドアの枠の内周側に新設する玄関ドアの枠を配置してリフォームする際の下枠構造であって、玄関内床面と略等しい高さを持った上段と玄関外床面と略等しい下段からなる段差を持った既存の玄関ドアの既存下枠を残置させると共に、前記既存下枠の段差と略等しい縦板と該縦板の一方側の端部に形成され前記既存下枠の上段に沿って配置される上板と該縦板の他方側の端部に形成され玄関外床面に沿って配置される下板とを有するＺ金物と、起立片と取付片とからなるＬ型に形成された取付部材と、を用意し、既存下枠の下段に長手方向に沿って取付部材を配置すると共に取付片を固定し、且つＺ金物の縦板を取付部材の起立片に対向させると共に上板を既存下枠の上段に且つ下板を玄関外床面に対向させて、前記縦板を取付部材の起立片に固定すると共に上板を既存下枠の上段に固定したものである。
【０００９】
上記玄関ドアの下枠構造では、既存の玄関ドアの既存下枠の下段に、Ｌ型の取付部材を固定し、この取付部材と既存下枠の上段を利用してＺ金物を固定することによって新たな下枠を構成したので、該新たな下枠と玄関内床面との段差を可及的に小さくすることが出来る。
【００１０】
またＺ金物が、既存下枠の上段と下段との段差に対応した縦板と、縦板の一方の端部から延出されて既存下枠の上段に沿って配置される上板と、縦板の他方の端部から延出されて既存下枠の下段に沿って配置される下板とを有して構成され、縦板が取付部材の起立片に対向して取り付けられ、また下板は玄関外床面に沿って取り付けられる。このため、上板は既存下枠の上段に沿って略密着することとなり上板自体の強度に既存下枠の上段の強度を付加した強度を発揮することが出来、且つ下板は玄関外床面に粗って略密着することとなり下板自体の強度に玄関外床面の強度を付加した強度を発揮することが出来る。更に、Ｚ金物を既存下枠に取り付けたときに上板と下段とによって形成される中空部分では、該中空部分の一方側は既存下枠の段差部が配置され、他方側はＺ金物の縦板と取付部材の起立片が配置される。このため、前記中空部分の一方側は既存下枠の強度によって、他方側は一体化したＺ金物の縦板と取付部材の起立片とによる強度によって、高い強度と剛性を持った下枠を構成することが出来る。
【００１１】
【発明の実施の形態】
以下本発明に係る玄関ドアの下枠構造について説明する。本発明は既存の住宅に取り付けてある玄関ドアを新たな玄関ドアに交換する所謂リフォームを行う際に、既存の玄関ドアの既存枠体を残置すると共に該既存枠体を新たな玄関ドアの枠体で覆うことで、既存枠体の周囲にある建物の壁や床或いは天井を壊すことなく工事を進行させるようにしたものである。
【００１２】
既存枠体を構成する既存下枠は玄関内床面との高さが略等しいことにより屋内と屋外との出入りを容易にしているが、既存下枠を利用しているにも関わらず、リフォーム後の新下枠の玄関内床面からの高さを大幅に大きくすることなく、出入りの容易さを確保すると共に水捌けを確保し得るようにしたものである。
【００１３】
既存下枠は玄関内床面及び玄関外床面を構成する土間コンクリートに埋設された鋼製の長尺部材からなり、玄関内床面の高さと略等しい高さを持った上段と、この上段の屋外側に面し玄関ドアの屋内側の面が対向する段部と、玄関外床面の高さと略等しい高さを持った下段とが形成されている。従って、既存下枠の上段に高さの高い新下枠を設けたのでは、該新下枠が玄関内床面の高さよりも大幅に高くなって出入りの邪魔になることとなる。
【００１４】
新下枠はＺ金物と取付部材とによって構成されている。Ｚ金物は既存下枠に取り付けられて上部に出入りする人や物の荷重が作用するため、高い強度と曲げ剛性を有することが好ましい。新下枠の強度は、該新下枠の材料としてステンレス鋼板を用いることが確保することが可能である。また新下枠の曲げ剛性は、１枚のステンレス鋼板を折り曲げて上板，縦板，下板を成形することによって確保することが可能である。しかし、既存下枠が存在するため、該既存下枠の有する強度や剛性を利用することが好ましい。この場合、Ｚ金物を既存下枠に略密着させて一体化をはかることで該既存下枠の有する強度と剛性を利用することが可能となる。
【００１５】
Ｚ金物は、端部が玄関内床面及び玄関外床面に露出するため、端面に生じたバリが露出することとなる。このため、端部を下面側に折り曲げ成形しておくことが好ましい。このように、端部を下面側に折り曲げておくことで、シアリング機等によって切断した状態のステンレス鋼板であっても、危険が生じることがない。更に、折り曲げることで二重になった上板，下板の強度を向上させることも可能となる。
【００１６】
Ｚ金物は既存下枠を覆うことが可能な長さを持つことが好ましい。このように、Ｚ金物を長尺状に形成することによって、１個のＺ金物を用いて既存下枠に新下枠を取り付けることが可能となる。
【００１７】
取付部材は、起立片と取付片からなるＬ字状に形成されている。起立片の高さは特に限定するものではなく、既存下枠の段部の高さと略等しいか小さいことが好ましい。
【００１８】
また取付部材は既存下枠の長さと略等しい長さを持った長尺状に形成されていても良く、適度な長さを持ったピース状に形成されていても良い。取付部材を長尺状に形成した場合には、コストが上昇するものの、既存下枠の下段に固定する際の位置決めが容易であり、且つＺ金物を取り付ける際にビスのねじ込み位置の自由度が高い。また取付部材をピース状に形成した場合には、コストを削減し得るものの、既存下枠に対して取り付ける際に個々の取付部材の位置決めを行うことが必要となり、且つＺ金物を取り付ける際にビスのねじ込み位置の自由度が低くなる。
【００１９】
以下、本発明に係る玄関ドアの下枠構造の好ましい実施例について図を用いて説明する。図１はリフォームした玄関の枠体の構成を説明する断面図である。図２はＺ金物と取付部材の構成を説明する斜視図である。図３は既存の玄関ドアを撤去した既存枠体と新設する玄関ドアを説明する正面図である。
【００２０】
先ず、図３により既存玄関ドアを撤去して新設玄関ドアを取り付けたリフォーム状態について簡単に説明する。同図（ａ）は既存玄関ドアを撤去して枠体を露出させた状態を示す図であり、この枠体は、既存下枠１，一対の既存縦枠２，既存上枠３によって構成されている。既存下枠１は土間４（図１参照）に埋設されており、一対の既存縦枠２及び既存上枠３は夫々建物の壁や天井に埋め込まれて取り付けられている。
【００２１】
同図（ｂ）は各既存枠１〜３に新設ドアを設けた状態を示す図であり、ドア５の左右方向の両側であって既存縦枠２に沿って袖飾り６が形成され、ドア５の上側であって既存上枠３に沿って欄間７が形成されている。このように、袖飾り６及び欄間７は既存縦枠２，既存上枠３を利用して構成され、この袖飾り６と欄間７で囲まれた部位にドア５を設けることで、既設の土間４や壁，天井を壊すことなく、新設のドアにリフォームし得るように構成されている。
【００２２】
次に、図１，２により本実施例に係る下枠構造について説明する。図１に示すように、既存下枠１は、土間４を構成する玄関内床面４ａの高さに略等しい高さを持った上段１ａと、土間４を構成する玄関外床面４ｂの高さと略等しい高さを持った下段１ｂと、上段１ａと下段１ｂとの段差部１ｃとが形成されている。既存下枠１に於ける上段１ａ，下段１ｂ，段差部１ｃの寸法は既設ドアの仕様に応じて設定されており、既設ドアを撤去する以前に確認される。
【００２３】
Ｚ金物１０は図１及び図２（ａ）に示すように、既存下枠１の段差部１ｃの高さに対応した寸法を持って形成された縦板１０ａと、縦板１０ａの上端部分から直角に延長された上板１０ｂと、縦板１０ａの下端部分から直角に且つ上板１０ｂと反対方向に延長された下板１０ｃとを有しており、所定の長さ（既存下枠１の長さと等しいか、少なくともドア５の幅よりも大きい長さ）を持った長尺状に形成されている。
【００２４】
上記の如きＺ金物１０は、平板を折り曲げ成形して縦板１０ａ，上板１０ｂ，下板１０ｃを夫々形成することが可能である。このＺ金物１０は、既存下枠１に取り付けたとき、玄関を出入りする人や物の荷重が作用することになるため、充分な強度が必要となる。
【００２５】
このため、本実施例では、Ｚ金物を厚さが１．５ｍｍのステンレス鋼板によって構成している。しかし必ずしもステンレス鋼板を用いる必要はなく、例えばアルミニウム板を折り曲げて、或いは鋼板を折り曲げて形成することも可能である。
【００２６】
また本実施例では、上板１０ｂ，下板１０ｃの自由端を夫々裏面側に１８０度折り曲げて２枚構造としている。このように、上板１０ｂ，下板１０ｃの自由端を裏面側に折り曲げることによって、上板１０ｂ，下板１０ｃは素材の厚さの２倍の厚さとなり、より強度を向上させることが可能である。また成形前の板材の端部にバリが生じているような場合であっても、このバリを上板１０ｂ，下板１０ｃの裏面側に隠してしまうことが可能である。
【００２７】
上記の如く構成されたＺ金物１０では、上板１０ｂを既存下枠１の上段１ａに沿って載置すると共に該上段１ａに略密着させたとき、該上板１０ｂ上面は既存下枠１の上段１ａから３ｍｍ上昇することとなるが、この程度の高さは人や物の出入りに大きな影響を与えることがなく、良好な外観状態を確保することが可能である。
【００２８】
取付部材１１はＺ金物１０を既存下枠１に固定する機能を有するものであり、図１及び図２（ｂ）に示すように、既存下枠１の下段１ｂに取り付けられる取付片１１ａと、Ｚ金物１０の縦板１０ａを固定する起立片１１ｂとを有するＬ字状に形成されている。前述したように、取付部材１１はＺ金物１０を既存下枠１に固定する機能を有するものであれば良く、材質や構造を問うものではない。
【００２９】
本実施例に於いて、取付部材１１は、ビス１２を螺合するのに充分な幅を持った取付片１１ａと、既存下枠１に於ける段差部１ｃの高さと略等しい高さを持った起立片１１ｂとからなるＬ字型で長尺状に形成されている。
【００３０】
取付部材１１は、既存下枠１の下段１ｂに於ける予め設定された位置（新設ドアの設置位置に応じた位置）に沿って配置され、取付片１１ａに約３００ｍｍ〜約４００ｍｍのピッチでビス１２を螺合することで固定される。これにより、起立片１１ｂは既存下枠１の段差部１に対し略平行に配置されることとなる。尚、ビス１２は通常のナベビスでよいが、タッピングビスであることが好ましい。
【００３１】
下段１ｂに取付部材１１を固定した後、Ｚ金物１０を取り付ける。先ず、Ｚ金物１０の縦板１０ａを取付部材１１の起立片１１ｂに沿わせてビス１３によって固定する。その後、上板１０ｂを既存下枠１の上段１ａに押圧してビス１３によって固定する。前記ビス１３は、頭部が縦板１０ａ，上板１０ｂの表面から突起することは好ましくはないため、皿ビスであることが必要であり、特にタッピングビスであることが好ましい。
【００３２】
上記の如くしてＺ金物１０を取付部材１１と既存下枠１に固定したとき、該Ｚ金物１０の上板１０ｂは既存下枠１の上段１ａに略密着した状態となって一体化し、下板１０ｃは玄関外床面４ｂの表面に沿った状態となって一体化する。このため、下板１０ｂの裏面と玄関外床面４ｂとの間にシーリング材１４を充填し、両者の隙間を閉塞して水の浸透を防止する。
【００３３】
またＺ金物１０の縦板１０ａの外面にパッキン１６を取り付け、これにより、ドア５を閉鎖したときに、該ドア５とＺ金物１０との間に生じる隙間を閉塞する。
【００３４】
上記の如く構成された新設下枠では、Ｚ金物１０の上板１０ｂの上面が既存下枠１の上段１ａの上面に対し、板厚分、或いは板厚２枚分高さが上昇することになる。しかし、Ｚ金物１０の板厚は約１．５ｍｍ程度で充分であり、高さの上昇分は最大でも約３ｍｍである。この程度の高さの上昇は、人や物の出入りに影響を与えることがなく、バリヤフリーとしての機能を発揮することが可能である。
【００３５】
【発明の効果】
以上詳細に説明したように本発明に係る玄関ドアの下枠構造では、既設の玄関ドアを新たな玄関ドアにリフォームするにも関わらず、玄関内床面から新設下枠までの高さが大幅に高くなることがない。このため、バリアフリーを実現して安全性を確保することが出来、且つ玄関内を掃除したときに水捌けを確保することが出来る。
【００３６】
また新設下枠がＺ金物と取付部材との合成枠となり、高い強度を発揮することが出来る。更に、新設下枠は、Ｚ金物の上板が既存下枠の上段に略密着して一体化し、下板が玄関外床面と略密着して一体化するため、新設下枠自体の強度に既存下枠の強度を付加した強度を発揮させることが出来、局部的な変形を防止して高い耐久性を確保することが出来る。
【００３７】
特に、モルタルアンカーのような固定具を用いることなく、新設下枠を既存下枠に固定することによって施工が簡単で工期が短く、且つ精度の高い作業を実現することが出来る。
【図面の簡単な説明】
【図１】リフォームした玄関の枠体の構成を説明する断面図である。
【図２】Ｚ金物と取付部材の構成を説明する斜視図である。
【図３】既存の玄関ドアを撤去した既存枠体と新設する玄関ドアを説明する正面図である。
【符号の説明】
１                      既存下枠
１ａ                    上段
１ｂ                    下段
１ｃ                    段差部
２                      既存縦枠
３                      既存上枠
４                      土間
５                      ドア
６                      袖飾り
７                      欄間
１０                      Ｚ金物
１０ａ                    縦板
１０ｂ                    上板
１０ｃ                    下板
１１                      取付部材
１１ａ                    取付片
１１ｂ                    起立片
１２，１３                  ビス
１６                      パッキン
【図１】
2005009095.tif 000003
【図２】
2005009095.tif 000004
【図３】
2005009095.tif 000005